(57)【要約】【課題】  基地局および無線端末からなる無線ネットワークの無線通信承認システムにおいて、通信開始に要する時間が短く、成りすましが困難で、電波環境の影響を受けにくい無線通信承認システムを提供する。【解決手段】  無線通信承認システムにおいて、無線端末が、送信データ内の個別識別子の連続繰り返し個数と個別識別子の挿入間隔とを、基地局から受信した基地局信号の強度に応じて設定して送信する個別識別子挿入部を有し、基地局が、受信データから個別識別子を取り出してデータ処理部へ送る第１の信号処理部と、無線端末の個別識別子を登録しておくメモリと、受信した個別識別子と、メモリに登録された個別識別子とを比較し、受信データをリピートして送信するか否かの判断を出すデータ処理部と、データ処理部の判断に従って受信データを送信部へ送るか、あるいは中止する第２の信号処理部とから成るリピート操作部を有し、通信終了時に、無線端末と基地局とで新たな共通の識別子を設定して互いに登録する機能を、個別識別子挿入部とリピート操作部が有する。【選択図】      図１
2005252962.tif 000002
【特許請求の範囲】
【請求項１】
基地局および無線端末からなる無線ネットワークの無線通信承認システムにおいて、
前記無線端末が、送信データ内の個別識別子の連続繰り返し個数と、前記個別識別子の挿入間隔とを、前記基地局から受信した基地局信号の強度に応じて設定して送信する個別識別子挿入部を有し、
前記基地局が、受信データから前記個別識別子を取り出してデータ処理部へ送る第１の信号処理部と、
前記無線端末の前記個別識別子を登録しておくメモリと、
受信した前記個別識別子と、前記メモリに登録された前記個別識別子とを比較し、前記受信データをリピートして送信するか否かの判断を出すデータ処理部と、
前記データ処理部の判断に従って前記受信データを送信部へ送るか、あるいは中止する第２の信号処理部とから成るリピート操作部を有し、
通信終了時に、前記無線端末と前記基地局とで新たな共通の識別子を設定して互いに登録する機能を、前記個別識別子挿入部と前記リピート操作部が有することを特徴とする無線通信承認システム。
【請求項２】
基地局および無線端末からなる無線ネットワークの無線通信承認方法において、
前記無線端末から送信されたデータを前記基地局が受信し、その受信データから取り出された個別識別子を登録された個別識別子と比較し、照合が取れた場合は受信データをリピートして送信し、照合が取れない場合は受信データの送信を中止することを特徴とする無線通信承認方法。
【請求項３】
請求項２に記載の無線通信承認方法において、
前記無線端末から送信される送信データ内の前記個別識別子の連続繰り返し個数と、前記個別識別子の挿入間隔とを、電波状況に応じて設定して送信することを特徴とする無線通信承認方法。
【請求項４】
請求項２に記載の無線通信承認方法において、
通信終了時に、前記無線端末と前記基地局とで新たな共通の識別子を設定して互いに登録することを特徴とする無線通信承認方法。
【発明の詳細な説明】
【技術分野】
【０００１】
本発明は、デジタル無線通信システムにおける基地局の不正使用を防ぐ方法およびそのシステムに関する。
【背景技術】
【０００２】
従来セキュリティ機能に関しては、認証と暗号化の非常に高度な機能を持つものから、特許文献１に記載されているような、システムの目的に適合させた機能を優先するものなどが示されている。無線システムにおいては、基地局の不正使用の防止に関する対応策がとられてきた。しかし、送信開始のセキュリティチェックに時間を要し緊急通信に適さない、識別子の模倣による成りすましが可能、識別子が通信開始時のみ送られていたため、電波状況が悪く受信を逃すと通話ができないなどの問題があった。
【特許文献１】特開平６−４６１６２号公報
【発明の開示】
【発明が解決しようとする課題】
【０００３】
本発明は、このような問題を解決するためになされたものであり、その目的は、通信開始に要する時間が短く、成りすましが困難で、電波環境の影響を受けにくい承認システムとその方法を提供する。
【課題を解決するための手段】
【０００４】
本発明の無線通信承認システムは、基地局および無線端末からなる無線ネットワークの無線通信承認システムにおいて、
前記無線端末が、送信データ内の個別識別子の連続繰り返し個数と、前記個別識別子の挿入間隔とを、前記基地局から受信した基地局信号の強度に応じて設定して送信する個別識別子挿入部を有し、
前記基地局が、受信データから前記個別識別子を取り出してデータ処理部へ送る第１の信号処理部と、
前記無線端末の前記個別識別子を登録しておくメモリと、
受信した前記個別識別子と、前記メモリに登録された前記個別識別子とを比較し、前記受信データをリピートして送信するか否かの判断を出すデータ処理部と、
前記データ処理部の判断に従って前記受信データを送信部へ送るか、あるいは中止する第２の信号処理部とから成るリピート操作部を有し、
通信終了時に、前記無線端末と前記基地局とで新たな共通の識別子を設定して互いに登録する機能を、前記個別識別子挿入部と前記リピート操作部が有することを特徴とする。
【０００５】
本発明の無線通信承認方法は、基地局および無線端末からなる無線ネットワークの無線通信承認方法において、
前記無線端末から送信されたデータを前記基地局が受信し、その受信データから取り出された個別識別子を登録された個別識別子と比較し、照合が取れた場合は受信データをリピートして送信し、照合が取れない場合は受信データの送信を中止することを特徴とする。
【０００６】
本発明の無線通信承認方法は、前記無線通信承認方法において、
前記無線端末から送信される送信データ内の前記個別識別子の連続繰り返し個数と、前記個別識別子の挿入間隔とを、電波状況に応じて設定して送信することを特徴とする。
【０００７】
本発明の無線通信承認方法は、前記無線通信承認方法において、
通信終了時に、前記無線端末と前記基地局とで新たな共通の識別子を設定して互いに登録することを特徴とする。
【発明の効果】
【０００８】
本発明の無線通信承認システムによれば、通信開始に要する時間が短く、成りすましが困難で、電波環境の影響を受けにくい無線端末の基地局における無線通信承認システムが実現できる。
【発明を実施するための最良の形態】
【０００９】
本発明による、無線通信システムの基地局における無線端末の承認手段の実施の形態について説明する。図１は、本発明の無線端末の構成を示すブロック図である。無線端末は、個別識別子挿入部１０、受信部１１、ベースバンド部１２および送信部１３から構成される。個別識別子挿入部１０は、識別子設定処理部１４とメモリ部１５とから構成される。図２は、送信データの信号フォーマット例を示す信号フォーマット図である。番号は、信号の並んでいる順番を示している。個別識別子は、音声データと同期信号パターンの間の４番目と、最後の８番目に挿入されている。
【００１０】
図１において無線端末は、受信部１１により基地局からの基地局信号を受信し、そのキャリアレベルを識別子設定処理部１４へ送る。識別子設定処理部１４は、受け取ったキャリアレベルから、メモリ部１５に記憶されている処理手順に従って個別識別子の設定処理を実行し、設定指示をベースバンド部１２へ送る。ベースバンド部１２は、たとえば図２の４番目の場所に、識別子設定処理部１４の設定指示に従い、指示された個数だけ個別識別子を挿入する。また挿入間隔の指示が８番目であれば、引き続き８番目の場所に同様の個数を挿入する。このようにして作成された一連のデータは、送信データとして送信部１３から基地局へ送信される。
【００１１】
個別識別子の挿入個数と挿入間隔は、受信したキャリアレベルだけから、一定の処理手順に従って受信状態を推定して求める事ができる。また受信したキャリアレベルに応じて、事前に記憶部に蓄積されている設定テーブルを検索し、求めることもできる。
【００１２】
図３は、本発明の基地局の構成を示すブロック図である。基地局は、リピート操作部２０、受信部２１および送信部２２から構成される。リピート操作部２０は、第１の信号処理部２３、データ処理部２４、メモリ部２５および第２の信号処理部２６から構成される。基地局は、無線端末から送られてきたデータを、受信部２１で受信し第１の信号処理部２３へ送る。第１の信号処理部２３は、受け取った受信データから個別識別子を取り出し、データ処理部２４へ送る。データ処理部２４は、受け取った個別識別子を事前にメモリ部２５に蓄積されている識別子と比較し、照合を取る。照合が取れた場合データ処理部２４は、受信データをリピートして送信するよう、第２信号処理部２６へ指示する。第２信号処理部２６は、受信した一連のデータを再構築して送信部２２により送信する。照合が取れなかった場合データ処理部２４は、受信データのリピート操作を停止するよう、第２信号処理部２６へ指示する。第２信号処理部２６は、受信したデータのリピートを停止し、送信部２２からの送信を中止する。
【００１３】
通信の終了に際し、基地局のリピート操作部２０のデータ処理部２４は、受信した個別識別子を、メモリ部２５に蓄積された一定の手順に従って処理し、新たな個別識別子を生成する。さらにこの新個別識別子をメモリ部２５に記憶させると共に、無線端末へこの新個別識別子を送信する。無線端末の受信部１１は新個別識別子を受信し、個別識別子挿入部１０の識別子設定処理部１４が、この受信した新個別識別子をメモリ部１５に記憶させる。さらに識別子設定処理部１４は、新識別子受信完了の信号を、送信部１３を通して基地局に送信する。基地局は、この受信完了信号を受け取って通信を完了する。
【００１４】
図４は、本発明の基地局における承認処理の流れを示すフローチャートである。基地局は、無線端末からの送信を待機し（ステップ１００）、受信信号の状態をチェックして、信号を受信していなければ待機状態を継続する（ステップ１０２）。無線端末からの信号を受信すると、アタックタイムを短縮するため、直ちにリピートを開始する（ステップ１０４）。無線端末からの信号を受信し、リピートを継続しながら個別識別子を待ち受け（ステップ１０６）、個別識別子の受信をチェックする（ステップ１０８）。個別識別子を受信していなければ、一定時間個別識別子の受信を継続し、一定時間が経過するとリピートを強制的に中止する（ステップ１２０、ステップ１２２）。個別識別子を受信すると、受信した個別識別子が事前に記録された個別識別子であるか否かを比較照合し、照合が取れない場合は強制的にリピートを中止する（ステップ１１０、ステップ１２２）。照合が取れた場合は、引き続き個別識別子のチェックをしながら、リピートを継続し、無線端末から通信が終了するという通知を待ち受ける（ステップ１１２）。無線端末から通信を終了するという連絡があると、個別識別子を基に新たな個別識別子を生成し、記録すると共に、無線端末へ送信し、無線端末から新識別子の受信完了の通知を待ち受ける（ステップ１１４、ステップ１１６）。無線端末から新識別子の受信完了の通知を受けて、通信を終了する（ステップ１１８）。
【００１５】
以上説明したように、この承認手段によれば、無線端末からの信号を受信すると直ちにリピートを開始するため、アタックタイムが短縮され、緊急通信の通信開始に支障を生じなくなる。また通信終了時に個別識別子を基に新たな個別識別子を生成し無線端末と基地局で記憶し、次回の個別識別子として使用するため、成りすましが困難となる。さらに無線端末が、基地局の基地局信号を受けて電波状況を判断し、個別識別信号の挿入パターンを制御するため、電波環境の影響を受けにくい無線システムが可能となる。またこれまでに説明した機能実現手段は、当該機能を実現できる手段であれば、どのような回路または装置であっても良く、また機能の一部または全部をソフトウエアで実現することも可能である。さらに機能実現手段を、複数の回路によって実現しても良く、複数の機能を単一の回路で実現しても良い。
【産業上の利用可能性】
【００１６】
本発明は端末機の承認を目的とするシステムなどの用途に適用できる。
【図面の簡単な説明】
【００１７】
【図１】本発明による無線端末の構成を示すブロック図である。
【図２】送信データの信号フォーマット例を示す信号フォーマット図である。
【図３】本発明による基地局の構成を示すブロック図である。
【図４】本発明による基地局における承認処理の流れを示すフローチャートである。
【符号の説明】
【００１８】
１０    個別識別子挿入部
１１，２１    受信部
１２    ベースバンド部
１３，２２    送信部
１４    識別子設定処理部
１５，２５    メモリ部
２０    リピート操作部
２３    第１の信号処理部
２４    データ処理部
２６    第２の信号処理部
【図１】
2005252962.tif 000003
【図２】
2005252962.tif 000004
【図３】
2005252962.tif 000005
【図４】
2005252962.tif 000006